(57)【要約】【課題】  キーロックの設定解除を適切に実行できる携帯端末を提供する。【解決手段】  振動、衝撃等によって生じるエネルギを電気信号に変換して振動感知信号を出力する振動感知部１６と、周囲の光を感知して光感知信号を出力する光感知部１８とを備え、振動感知部１６により振動が感知されると、所定時間Ｔ２毎に光感知部１８により光感知を実行し、光が感知されると、キーロック制御部２８がキーロックを解除する。また、振動感知部１６により振動が所定時間Ｔ１の間感知されないと、キーロック制御部２８がキーロックを設定する。【選択図】        図１
2005244734.tif 000002
【特許請求の範囲】
【請求項１】
キーロックの設定解除機能を有する携帯端末であって、
振動、衝撃等によって生じるエネルギを電気信号に変換して振動感知信号を出力する振動感知手段と、
周囲の光を感知して光感知信号を出力する光感知手段と、
前記振動感知手段による振動感知結果と前記光感知手段による光感知結果とに基づいて、キーロックの設定解除を制御するキーロック制御手段と、
を備えることを特徴とする携帯端末。
【請求項２】
請求項１記載の携帯端末において、前記振動感知手段により振動、衝撃等が感知された場合に前記光感知手段による光感知動作が実行されることを特徴とする携帯端末。
【請求項３】
請求項１または請求項２記載の携帯端末において、前記振動感知手段により振動、衝撃等が所定時間Ｔ１の間感知されない場合に、前記キーロック制御手段によりキーロックが設定されることを特徴とする携帯端末。
【請求項４】
請求項３記載の携帯端末において、前記光感知手段による光感知動作は、前記振動感知手段により振動、衝撃等が感知されている場合にも、前記所定時間Ｔ１より短い所定時間Ｔ２毎に実行されることを特徴とする携帯端末。
【請求項５】
キーロックの設定解除機能を有する携帯端末の制御方法であって、
振動、衝撃等によって生じるエネルギを電気信号に変換して振動感知信号を出力する振動感知ステップと、
周囲の光を感知して光感知信号を出力する光感知ステップと、
前記振動感知ステップにおける振動感知結果と前記光感知ステップにおける光感知結果とに基づいて、キーロックの設定解除を制御するキーロック制御ステップと、
を備えることを特徴とする携帯端末の制御方法。
【請求項６】
振動、衝撃等によって生じるエネルギを電気信号に変換して振動感知信号を出力する振動感知手段、
周囲の光を感知して光感知信号を出力する光感知手段、及び
前記振動感知手段による振動感知結果と前記光感知手段による光感知結果とに基づいて、キーロックの設定解除を制御するキーロック制御手段、
としてコンピュータを機能させるためのプログラム。
【発明の詳細な説明】
【技術分野】
【０００１】
本発明は携帯端末、特にキーロックの設定解除機能を有する携帯端末の改良に関する。
【背景技術】
【０００２】
従来より、携帯電話等の携帯端末がカバンや服のポケット等に入れられているときに、ユーザの意図しないキーが押圧されてユーザの意図しない動作が実行されることを防止するために、キーロック機能が使用されていた。このキーロック機能は、キーが押圧される等のキー操作が行われても、これを無効とする機能である。キーロック機能の設定は、手動で行われる場合もあるが、設定忘れの可能性がある。そこで、下記特許文献１には、携帯端末に光検出手段を設け、該光検出手段の検出結果に応じてキーロックの設定解除を行う技術が開示されている。
【特許文献１】特開平１１−１６８７６９号公報
【発明の開示】
【発明が解決しようとする課題】
【０００３】
しかし、上記従来の技術においては、光検出手段の検出結果に応じてキーロックの設定解除を行うので、暗いところでキーロックが設定され、明るいところで解除される構成となる。このため、明るいところでもキーロックの設定が必要な場合、例えば透明ビニール等光を透過する材料でできたカバンの中に携帯端末を入れているような場合に対処できないという問題があった。
【０００４】
本発明は、上記従来の課題に鑑みなされたものであり、その目的は、キーロックの設定解除を適切に実行できる携帯端末を提供することにある。
【課題を解決するための手段】
【０００５】
上記目的を達成するために、本発明は、キーロックの設定解除機能を有する携帯端末であって、振動、衝撃等によって生じるエネルギを電気信号に変換して振動感知信号を出力する振動感知手段と、周囲の光を感知して光感知信号を出力する光感知手段と、前記振動感知手段による振動感知結果と前記光感知手段による光感知結果とに基づいて、キーロックの設定解除を制御するキーロック制御手段と、を備えることを特徴とする。本携帯端末では、上記振動感知手段により振動、衝撃等が感知された場合に前記光感知手段による光感知動作が実行される。また、上記振動感知手段により振動、衝撃等が所定時間Ｔ１の間感知されない場合には、前記キーロック制御手段によりキーロックが設定される。さらに、上記光感知手段による光感知動作は、前記振動感知手段により振動、衝撃等が感知されている場合にも、前記所定時間Ｔ１より短い所定時間Ｔ２毎に実行される。
【０００６】
また、本発明は、キーロックの設定解除機能を有する携帯端末の制御方法であって、振動、衝撃等によって生じるエネルギを電気信号に変換して振動感知信号を出力する振動感知ステップと、周囲の光を感知して光感知信号を出力する光感知ステップと、前記振動感知ステップにおける振動感知結果と前記光感知ステップにおける光感知結果とに基づいて、キーロックの設定解除を制御するキーロック制御ステップと、を備えることを特徴とする。
【０００７】
また、本発明は、振動、衝撃等によって生じるエネルギを電気信号に変換して振動感知信号を出力する振動感知手段、周囲の光を感知して光感知信号を出力する光感知手段、及び前記振動感知手段による振動感知結果と前記光感知手段による光感知結果とに基づいて、キーロックの設定解除を制御するキーロック制御手段、としてコンピュータを機能させるためのプログラムであることを特徴とする。
【発明の効果】
【０００８】
本発明によれば、振動感知手段と光感知手段との感知結果に基づいてキーロックの設定解除を行うので、携帯端末の携帯状態に応じて、より適切なキーロックの設定解除が可能となる。
【発明を実施するための最良の形態】
【０００９】
以下、本発明を実施するための最良の形態（以下、実施形態という）を、図面に従って説明する。
【００１０】
図１には、本発明にかかる携帯端末の一実施形態の構成のブロック図が示される。図１において、携帯端末は、表示部１０、操作部１２、記憶部１４、振動感知部１６、光感知部１８、時間計測部２０、通信部２２及び制御部２４で構成されている。
【００１１】
表示部１０は、例えば液晶ディスプレイ等で構成され、文字データ等のキー入力の内容、各種図形等を表示する。また、表示部１０には、携帯端末がキーロック設定中を表す記号、図形等を表示するのも好適である。上記キー入力は、図１の操作部１２により行う。この操作部１２は、例えば携帯端末の操作ボタン等により構成される。
【００１２】
記憶部１４は、例えば制御部２４の作業用のＲＡＭ、不揮発性メモリとしてのＥＥＰＲＯＭ、磁気記憶媒体等で構成されており、キー入力の内容、携帯端末の動作プログラム等の各種データが記憶される。
【００１３】
振動感知部１６は、携帯端末に加えられる振動、衝撃等によって生じるエネルギを電気信号に変換し、これを振動感知信号として出力するものである。
【００１４】
光感知部１８は、周囲の光を感知して電気信号に変換し、これを光感知信号として出力するものである。
【００１５】
時間計測部２０は、時計等の計時機能を含んだ構成とされており、携帯端末の制御を行う際に必要となる時間データを発生させるものである。この時間計測部２０には、タイマー１とタイマー２が含まれている。タイマー１は、振動感知部１６により振動、衝撃等が感知されない間の時間を計測しており、この時間が所定時間Ｔ１となると、光感知部１８により光が感知されているか否かを問わずキーロックが設定されるように構成されている。また、タイマー２は、振動感知部１６により振動、衝撃等が連続的または断続的に感知されている場合に、光感知部１８により光を感知する動作を実行するタイミングを計測するものであり、所定時間Ｔ２毎に光感知動作が実行されるように構成されている。上記所定時間Ｔ１としては、例えば３０分〜３時間程度が好適である。また、所定時間Ｔ２はＴ１より短く、例えば５〜１０分程度が好適である。
【００１６】
通信部２２は、公知の方法により基地局と通信して携帯通信端末としての通話機能を実現している。なお、本発明をＰＤＡ（パーソナルデジタルアシスタンス）等に適用した場合には、通信部２２は必ずしも必要とはならない。
【００１７】
制御部２４は、例えばＣＰＵ等で構成され、表示部１０、操作部１２、記憶部１４、振動感知部１６、光感知部１８、時間計測部２０及び通信部２２とデータのやり取りを行いながらこれらの動作を制御する。
【００１８】
制御部２４の表示制御部２６は、主として表示部１０に表示される内容を制御する。キーロック制御部２８は、振動感知部１６による振動感知結果と光感知部１８による光感知結果とに基づいて、キーロックの設定解除を制御する。
【００１９】
図２、図３は、図１に示された携帯端末のキーロック動作を示すフロー図である。なお、図２、図３には、一連の動作が示されており、Ａ及びＢの点で互いに接続される。
【００２０】
図２、図３において、携帯端末に電源が投入されると、上述した時間計測部２０のタイマー２の値を所定時間Ｔ２として満了（タイムアップ）させ（Ｓ１）、タイマー１をリセットし、スタートさせる（Ｓ２）。
【００２１】
次に、振動感知部１６により振動が感知され、かつタイマー２が満了しているか（Ｓ３）またはタイマー１が満了しているか（Ｓ４）を判定する。なお、電源投入時（スタート時）はＳ１においてタイマー２が満了（Ｔ２）とされている。これは、電源投入時にキーロック状態であった場合に、ユーザが携帯端末を使用するために手で持ったときの振動で直ちに光感知を実行し、キーロックを解除するためである。
【００２２】
Ｓ３において、振動が感知され、かつタイマー２が満了している場合には、光感知部１８による光感知測定がスタートする（Ｓ５）。光感知部１８により光を感知した場合には（Ｓ６）、キーロックを解除し（Ｓ７）、タイマー２をリセットしてスタートさせ（Ｓ８）、Ｓ２のステップに戻る。なお、Ｓ５における光感知測定は、振動感知部１６により振動が連続的または断続的に感知されている場合に、タイマー２の満了毎のタイミングすなわち所定時間Ｔ２毎に実行される。これにより、常時振動が感知されていても光感知測定の動作を所定時間Ｔ２毎の実行とすることができ、光感知測定を適正な回数に抑制できるので、制御部２４の負担を低減できる。
【００２３】
一方、Ｓ３において振動が感知されず、またはタイマー２が満了していない場合に、タイマー１の値が所定時間Ｔ１となって満了したときは（Ｓ４）、光感知部１８による光感知の有無を問わず、キーロック制御部２８がキーロックを設定する（Ｓ９）。これにより、携帯端末のキーが押圧されても、当該キー操作は無効とされ、携帯端末がユーザの意図しない動作をすることを回避できる。特に、携帯端末が光を透過する材料でできたカバン等の中に入っているような場合にもキーロックが設定されるようになり、携帯端末の携帯状態に適切に対応したキーロック制御が可能となる。この場合の所定時間Ｔ１の値は、携帯端末の使用状態に応じて適宜決定できる。ただし、タイマー２の満了時間Ｔ２が上記所定時間Ｔ１より長く設定されると、明るい場所で振動感知部１６により振動が感知され、本来キーロックが解除されるべき場合でもキーロックが設定されることがあるので、所定時間Ｔ２は所定時間Ｔ１より短く設定しておく。なお、キーロック制御部２８がキーロックを設定したときには、表示制御部２６により表示部１０の表示画面にキーロックを設定中であることを示す図形、記号等を表示してもよい。
【００２４】
また、Ｓ６において光が感知されなかった場合にも、キーロック制御部２８がキーロックを設定する（Ｓ９）。
【００２５】
次に、タイマー２をリセットし、スタートさせて（Ｓ１０）、振動感知部１６により振動が感知され、かつタイマー２が満了しているか（Ｓ１１）、または操作部１２のキー操作によりキーロックが解除されたか（Ｓ１２）を判定する。Ｓ１１において、振動が感知され、かつタイマー２が満了している場合には、タイマー２をリセットしてスタートさせ（Ｓ１３）、光感知部１８による光感知測定がスタートする（Ｓ１４）。光感知部１８により光を感知した場合には（Ｓ１５）、キーロック制御部２８がキーロックを解除し（Ｓ１６）、タイマー２をリセットし、スタートさせて（Ｓ８）、Ｓ２のステップに戻る。なお、Ｓ１５において光が感知されない場合は、Ｓ１１、Ｓ１２のステップに戻る。
【００２６】
また、Ｓ１２において、操作部１２のキー操作によりキーロックが解除された場合には、Ｓ１６のステップに進む。以後、図２、図３のステップを繰り返し、キーロックの設定解除の制御を続ける。
【００２７】
以上に述べた制御部２４は、ＣＰＵを中心として構成されたコンピュータであってよく、この場合、メモリカードその他の媒体に格納されたプログラムをＣＰＵが実行することで制御部２４の各機能が実現される。
【図面の簡単な説明】
【００２８】
【図１】本発明にかかる携帯端末の一実施形態の構成のブロック図である。
【図２】図１に示された携帯端末のキーロック動作を示すフロー図である。
【図３】図１に示された携帯端末のキーロック動作を示すフロー図である。
【符号の説明】
【００２９】
１０  表示部、１２  操作部、１４  記憶部、１６  振動感知部、１８  光感知部、
２０  時間計測部、２２  通信部、２４  制御部、２６  表示制御部、２８  キーロック制御部。
【図１】
2005244734.tif 000003
【図２】
2005244734.tif 000004
【図３】
2005244734.tif 000005